(57)【特許請求の範囲】
【請求項１】
天面と内周面、外周面とから形成され、中栓が被着される合成樹脂製容器の口部において、
口部の内周面上端部を拡径して、天面と交差する一定高さを有する拡径面を形成し、
拡径面下端の段部の内周縁を他のボトルの天面周縁と接触しないように位置させ、
口部外周面と天面との角部を丸め付けし、平滑な湾曲面としたことを特徴とする容器。
【請求項２】
開放端部の内周面上端部を拡径して、天面と交差する一定高さを有する拡径面を形成し、
開放端部外周面と天面との角部を丸め付けし、平滑な湾曲面としたことを特徴とする請求項１記載の容器を成形するためのプリフォーム。
【請求項３】
素材樹脂が、ポリエチレンテレフタレートであることを特徴とする請求項１または２記載の容器またはプリフォーム。
【発明の詳細な説明】
【０００１】
【発明の属する技術分野】
本発明は、容器、プリフォームの口部に関する。
【０００２】
【発明が解決しようとする課題】
従来のボトル口部の天面外周縁にはエッジが形成され、丸みが付けられたとしても大きい円弧ではなかった。
そのため、成形したボトルを運搬するときや、函詰めして輸送するときにボトル同士がぶつかり、ボトル口部天面の外周縁が、他のボトル口部天面の内周縁に衝突して凹部を作り、その周縁に突出部を形成するなど傷を付けることがあった。
【０００３】
また、延伸ブロー成形用のプリフォームも、搬送時にプリフォームが相互にぶつかり、その開放端部の内周に傷がつくことがあり、その傷がそのまま延伸ブロー成形されたボトルのボトル口部内周の傷になるという問題があった。
【０００４】
中栓が打栓によりボトル口部に嵌着される場合、口部天面内周縁の傷が大きいときには、打栓時に、傷の突出部が中栓の嵌合筒の内筒の締め代を形成する外周面に縦方向にすじ目をつけ、内筒と口部内周との間に細条、すなわち微細な連続孔ができ、それを通じて内容液が洩れ出したり、外気がボトル口部と中栓の間からボトル内に導入されるおそれがあるという問題があった。
【０００５】
これを防ぐため、容器口部の天面内周縁に湾曲面を形成したり、天面との間にわずかな段差部を設けて湾曲面を形成したりすることが従来より提案されている（例えば特開平７−２５７６１２号公報参照）。
【０００６】
しかしながら、図５に示すように、ボトル同士が、それぞれの口部直径上で衝突した場合、ボトル口径が小さい場合（Ｄ１）と大きい場合（Ｄ２）とを比較すると、口径が大きい場合は、交差角がαからβに大きくなり、また、ボトル重量も増えるので、一方のボトル口部の外周面が他方のボトル口部の内周面の下方深くまで凹ませることになる。
そのため、従来のように、天面内周縁にわずかな湾曲面や、わずかな段差と湾曲面とを設けても湾曲面の下方に傷が付き、傷による突出部がボトル口部の内周面まで達するおそれがある。
【０００７】
本発明は、上記の問題を考慮し、ボトル口部がぶつかっても、相手のボトル口部に傷がつかないようにすること、また口部天面内周に傷が付けられるようなことがあっても、その傷によって打栓時に中栓嵌合筒の内筒に傷が付かないようにすることを課題として、口部の形状を改善したボトルを提供することを目的とする。
【０００８】
【課題を解決するための手段】
本発明は、上記の課題を解決するため、容器の口部として、天面と内周面、外周面とから形成され、中栓が被着される合成樹脂製容器の口部において、口部の内周面上端部を拡径して、天面と交差する一定高さを有する拡径面を形成し、拡径面下端の段部の内周縁を他のボトルの天面周縁と接触しないように位置させ、口部外周面と天面との角部を丸め付けし、平滑な湾曲面としたことを特徴とする構成を採用する。
【０００９】
容器を成形するプリフォームとして、開放端部の内周面上端部を拡径して天面と交差する一定高さを有する拡径面を形成し、開放端部外周面と天面との角部を丸め付けし、平滑な湾曲面としたことを特徴とする構成を採用する。
また、容器またはプリフォームの素材樹脂として、とくに、ポリエチレンテレフタレートを採用する。
【００１０】
【発明の実施の形態】
次に、本発明の第１実施形態について、図面を参照して説明する。
図１において、Ａは、ポリエチレンテレフタレート（ＰＥＴ）、その他硬質の合成樹脂をもって成形されたボトルで、ボトルＡは、口部１と胴部２、底部３とからなっている。
【００１１】
口部１の外周には、天面４の周縁に接続する円錐面５ａと円筒面５ｂとを具えた係合突条６が突設されており、その下方には、ネックリング７が突設されている。
天面４と円錐面５ａとの角部ａは、図２に示すように、比較的大きな円弧によって丸め付けされ、平滑な湾曲面８となっている。
【００１２】
口部内周１ａ上部は、上端から一定長が拡径されて拡径面９が形成され、その下端は段部１０となっている。
段部１０の傾斜角は任意に採用することができ、段部１０の内外周縁には丸み付けしてもよい。
拡径面９の径は、後述する中栓嵌合筒の内筒の外周面よりもやや大きくしている。
【００１３】
上記ボトルＡの形成後に函詰めして運搬、輸送される場合、函詰めの際、または函から取り出したときに、口部１の天面４外周縁は平滑な湾曲面８となっているため、ボトルの口部１が相互に衝突しても面接触となるので、相手のボトルの口部１の天面４の内外周縁を傷つけることはほとんどない。
また、仮に天面４の内周縁、すなわち拡径面９との交差縁に傷が付いても、段部１０の内周縁１０ａには傷が付かない。
【００１４】
次に、上記ボトルＡに、中栓を打栓により容器口部に嵌着した注出容器について説明する。
図３において、Ｂは中栓、Ｃはキャップで、それぞれ軟質の合成樹脂で成形されている。
中栓Ｂは、注出筒１１と嵌合筒１２とを具え、嵌合筒１２は、外筒１３と内筒１４、肩壁１５とからなっている。
外筒１３の内周下部には、膨出突条１６が設けられ、内筒１４には、ボトル口部内周１ａとの間に締め代を形成する膨出部１７が形成されている。
【００１５】
ボトル口部１に中栓Ｂを打栓する時には、天面４の内周面に傷が付けられてもボトル口部内周１ａの段部内周縁１０ａに傷がないことにより、中栓Ｂの内筒１４の膨出部１７に縦方向のすじ目がつけられないので、ボトル使用中に液洩れ、外気の導入などをなくすことができる。
【００１６】
次に、第２実施形態について説明する。
本実施形態は、プリフォームに係るものである。
前記各実施形態のボトルは、プリフォームを用いて延伸ブロー成形される場合がある。
その際、プリフォームの開放端の形状を前記ボトルと同様な改良を施すことによって、前記実施形態と同等の効果を得ることができる。
【００１７】
図４において、Ｐはプリフォームで、有底の円筒として成形されており、ボトル口部を形成する開放端部には、天面２０に続く円錐面２１ａと円筒面２１ｂとからなる膨出環２２と、ネックリング２３が突設されている。
天面２０と円錐面２１ａとの角部は、丸み付けされ平滑な湾曲面２４となっており、開放端部内周の上端部は拡径され、拡径面２５と段部２６が形成されている。
【００１８】
上記プリフォームは、運搬中に相互の開放端部がぶつかりあっても、段部２６の内周縁は傷つけられない。
また、このプリフォームＰによってボトルを延伸ブロー成形したときには、ボトル口部の天面の外周縁は、円弧で丸め付けされた平滑な湾曲面が形成され、口部内周に拡径面と段部が形成されるので、第１実施形態と同様の作用効果がもたらせられる。
【００１９】
前記各実施形態では、円形ボトルを図示して説明したが、円形ボトルに限らず角形ボトルであってもよく、また、中栓の材質より硬質であれば、高密度ポリエチレン、ポリプロピレン、その他比較的軟質の合成樹脂を用いたボトルにも適用することができ、樹脂材料については硬質の合成樹脂に限定されない。
【００２０】
【発明の効果】
本発明は、上記のように構成されているから、次の効果を奏する。
ボトルの天面と、天面に続く外周面との角部を丸め付けした平滑な湾曲面としたから、ボトルがぶつかり、相互の口部天面が衝突しても、天面、天面内周縁に傷がつかないようになった。
また、仮に天面内周と拡径面との交差縁に傷が付いても、段部の内周縁には傷が付かないので、打栓時に中栓内筒の締め代を形成する外周面に傷をつけることがなく、シール性が確保され、内容液が洩れたり外気がボトル内に入ることはない。
【図面の簡単な説明】
【図１】本発明第１実施形態ボトルの一部断面正面図である。
【図２】要部を説明するための口部の断面図である。
【図３】中栓を打栓したボトル口部の説明図である。
【図４】プリフォームの一部断面正面図である。
【図５】ボトル口部の口径の変化に伴う交差角の説明図である。
【符号の説明】
Ａ、            ボトル
Ｂ              中栓
Ｃ              キャップ
Ｐ              プリフォーム
ａ              角部
１              口部
１ａ            口部内周
２              胴部
３              底部
４、２０        天面
５ａ、２１ａ    円錐面
５ｂ、２１ｂ    円筒面
６              係合突条
７、２３        ネックリング
８、２４        湾曲面
９、２５        拡径面
１０、２６      段部
１０ａ          段部内周縁
１３            外筒
１４            内筒
１５            肩壁
１７            膨出部
【図１】
0004017838.tif 000002
【図２】
0004017838.tif 000003
【図３】
0004017838.tif 000004
【図４】
0004017838.tif 000005
【図５】
0004017838.tif 000006